(57)【要約】【課題】個人の緊急データを公衆安全応答地点（ＰＳＡＰ）に提供すること。【解決手段】個人の緊急データを公衆安全応答地点（ＰＳＡＰ）に提供する方法が提供される。該方法は、緊急事態が生じる前に、１つの個人データを格納することと、緊急事態が生じた後に、１つの個人データを検索することと、１つの個人データを該ＰＳＡＰに伝送することとを包含する。１つの個人データは、先在する医学的状態と、医療従事者から要求された行動と、処方箋と、投薬量と、アレルギーと、血液型と、性別と、身長と、体重と、年齢とのうちの少なくとも１つである。【選択図】図１
2009071828.tif 000002
【特許請求の範囲】
【請求項１】
個人の緊急データを公衆安全応答地点（ＰＳＡＰ）に提供する方法であって、
緊急事態が生じる前に、１つの個人データを格納することと、
該緊急事態が生じた後に、該１つの個人データを検索することと、
該１つの個人データを該ＰＳＡＰに伝送することと
を包含する、方法。
【請求項２】
前記１つの個人データは、
先在する医学的状態と、
医療従事者から要求された行動と、
処方箋と、
投薬量と、
アレルギーと、
血液型と、
性別と、
身長と、
体重と、
年齢と
のうちの少なくとも１つである、請求項１に記載の方法。
【請求項３】
前記ＰＳＡＰの電話番号がダイヤルされたときに、自動的に前記１つの個人データを該ＰＳＡＰに伝送すること、または
前記ワイヤレスデバイスにおいて入力メカニズムを作動させることであって、該入力メカニズムの該作動が、該１つの個人データを該ＰＳＡＰに伝送させる、こと
のいずれかのうちの１つによって、該個人データを該ＰＳＡＰに通信すること
をさらに包含する、請求項１に記載の方法。
【請求項４】
複数個の個人データを複数の人物と関連付けることと、
該人物のうちの少なくとも１人を選択する機会を提供することであって、該人物のうちの少なくとも１人と関連付けられる１つの個人データが、前記ＰＳＡＰに伝送される、ことと
をさらに包含する、請求項１に記載の方法。
【請求項５】
前記１つの個人データを人物と関連付けることと、
該人物を車両に設置されたワイヤレスデバイスと関連付けることと、
該車両が特定の閾値を上回る激しさの緊急事態に巻き込まれたときに、該１つの個人データを前記ＰＳＡＰに自動的に伝送することと
をさらに包含する、請求項１に記載の方法。
【請求項６】
複数個の個人データを複数の人物と関連付けることと、
該複数の人物を車両に設置されたワイヤレスデバイスと関連付けることと、
該車両が特定の閾値を上回る激しさの緊急事態に巻き込まれたときに、該人物のうちの少なくとも１人の該１つの個人データを前記ＰＳＡＰに自動的に伝送することと
をさらに包含する、請求項１に記載の方法。
【請求項７】
前記人物のうちの前記１人を特定することをさらに包含し、前記緊急事態の場合には、該人物のうちの少なくとも１人の１つの個人データが、該人物を前記車両のカスタマイズ可能な特徴と関連付けることによって前記ＰＳＡＰに伝送される、請求項６に記載の方法。
【請求項８】
最小の組のデータの伝送と関連付けられるデータ伝送において、前記１つの個人データを前記ＰＳＡＰに伝送することをさらに包含し、前記車両が前記緊急事態に巻き込まれたときに、前記ワイヤレスデバイスは、該最小の組のデータを該ＰＳＡＰに自動的に伝送する、請求項５に記載の方法。
【請求項９】
前記１つの個人データをネットワークのコンポーネントに格納することと、
該１つの個人データを前記ＰＳＡＰに伝送するように該ネットワークの該コンポーネントを命令するためにワイヤレスデバイスを使用することと
をさらに包含する、請求項１に記載の方法。
【請求項１０】
ワイヤレスデバイスであって、
緊急事態の場合における使用のために個人データを格納するメモリコンポーネントと、
該個人データのうちの少なくとも一部を、緊急事態の発生と関連付けられる公衆安全応答地点（ＰＳＡＰ）に伝送するように構成された伝送コンポーネントと
を備えている、ワイヤレスデバイス。
【請求項１１】
１つの個人データは、
先在する医学的状態と、
医療従事者から要求された行動と、
処方箋と、
投薬量と、
アレルギーと、
血液型と、
性別と、
身長と、
体重と、
年齢と
のうちの少なくとも１つである、請求項１０に記載のワイヤレスデバイス。
【請求項１２】
インタフェースをさらに備え、該インタフェースは、複数個の個人データが複数の人物と関連付けられるときには、該人物のうちの少なくとも１人を選択する機会を提供し、該人物のうちの少なくとも１人と関連付けられる１つの個人データは、前記ＰＳＡＰに伝送される、請求項１０に記載のワイヤレスデバイス。
【請求項１３】
前記ワイヤレスデバイスは、車両に設置され、該車両が特定の閾値を上回る激しさを有する緊急事態に巻き込まれたときには、該ワイヤレスデバイスは、１つの個人データを前記ＰＳＡＰに自動的に伝送する、請求項１０に記載のワイヤレスデバイス。
【請求項１４】
前記ワイヤレスデバイスは車両に設置され、複数個の個人データが複数の人物と関連付けられ、該複数の人物が該ワイヤレスデバイスと関連付けられ、そして、該車両が特定の閾値を上回る激しさを有する緊急事態に巻き込まれたときには、該ワイヤレスデバイスは、該人物のうちの少なくとも１人の該１つの個人データを前記ＰＳＡＰに自動的に伝送する、請求項１０に記載のワイヤレスデバイス。
【請求項１５】
前記緊急事態の場合に１つの個人データが前記ＰＳＡＰに伝送される、前記人物のうちの前記１人が、該人物を前記車両のカスタマイズ可能な特徴と関連付けることによって特定される、請求項１４に記載のワイヤレスデバイス。
【請求項１６】
前記１つの個人データが、最小の組のデータの伝送と関連付けられるデータ伝送において、前記ＰＳＡＰに伝送され、前記車両が前記緊急事態に巻き込まれたときに、前記ワイヤレスデバイスは、最小の組の該データを該ＰＳＡＰに自動的に伝送する、請求項１３に記載のワイヤレスデバイス。
【請求項１７】
システムであって、
緊急事態の場合における使用のために個人データを格納するメモリコンポーネントと、
該個人データのうちの少なくとも一部を、緊急事態の発生と関連付けられる公衆安全応答地点（ＰＳＡＰ）に伝送するように構成された伝送コンポーネントと
を備えている、システム。
【請求項１８】
前記メモリコンポーネントは、ネットワークのコンポーネントであり、前記伝送コンポーネントは、車両に設置される、請求項１７に記載のシステム。
【請求項１９】
前記メモリコンポーネントは、ハンドヘルドモバイルデバイスと車両とのうちの１つの中のコンポーネントであり、前記伝送コンポーネントは、該車両に設置されている、請求項１７に記載のシステム。
【請求項２０】
車両に設置されたワイヤレスデバイスは、該車両が特定の閾値を上回る激しさを有する緊急事態に巻き込まれたときに、該車両に設置された該ワイヤレスデバイスを直接的に介して、またはハンドヘルドモバイルデバイスを介して前記ＰＳＡＰへの個人データの少なくとも一部の伝送を促進する、請求項１７に記載のシステム。
【発明の詳細な説明】
【背景技術】
【０００１】
ワイヤレス遠隔通信能力を有する容易に持ち運びできるデバイス、例えば、モバイル電話、携帯端末、ハンドヘルドコンピュータ、および同様なデバイスが、本明細書においてワイヤレスデバイスと呼ばれる。用語「ワイヤレスデバイス」は、デバイスと、デバイスと関連付けられる汎用集積回路カード（ＵＩＣＣ）とを指し得、該汎用集積回路カード（ＵＩＣＣ）は、加入者識別モジュール（ＳＩＭ）アプリケーション、汎用加入者識別モジュール（ＵＳＩＭ）アプリケーション、またはリムーバブルのユーザ識別モジュール（Ｒ−ＵＩＭ）アプリケーションを含むか、または用語「ワイヤレスデバイス」は、かかるカードを伴わないデバイス自体を指し得る。一部の車両は、車両が衝突に巻き込まれたときに自動的に緊急通話を行い得る遠隔通信デバイスを装備されている。本明細書において使用される場合、用語「ワイヤレスデバイス」は、車両に設置されたかかる遠隔通信デバイスも指し得る。
【発明の開示】
【課題を解決するための手段】
【０００２】
本開示の１つ以上の実施形態の例示的な実装が以下で提供されるが、開示されたシステムおよび／または方法は、現在公知であろうと、既存であろうと、かなりの数の技術を使用して実装され得るということが、最初に理解されるべきである。本開示は、決して以下で例示される例示的な実装、図面、および技術に限定されるべきではなく、本明細書において例示および記述される例示的な設計および実装を含むが、添付の特許請求の範囲の均等物の全範囲と共に、添付の特許請求の範囲内で改変され得る。
【０００３】
一実施形態において、個人の緊急データをＰＳＡＰに提供する方法が提供される。該方法は、緊急事態が生じる前に、１つの個人データを格納することと、緊急事態が生じた後に、１つの個人データを検索することと、１つの個人データをＰＳＡＰに伝送することとを含む。
【０００４】
別の実施形態において、ワイヤレスデバイスが提供される。該ワイヤレスデバイスは、緊急事態の場合における使用のために個人データを格納するメモリコンポーネントと、個人データのうちの少なくとも一部を、緊急事態の発生と関連付けられるＰＳＡＰに伝送するように構成された伝送コンポーネントとを含む。
【０００５】
別の実施形態において、システムが提供される。該システムは、緊急事態の場合における使用のために個人データを格納するメモリコンポーネントと、個人データのうちの少なくとも一部を、緊急事態の発生と関連付けられるＰＳＡＰに伝送するように構成された伝送コンポーネントとを含む。
【０００６】
米国における９１１コールおよび欧州における１１２コールなどの緊急通話は、一般的に、公衆安全応答地点（ＰＳＡＰ）（Ｐｕｂｌｉｃ  Ｓａｆｅｔｙ  Ａｎｓｗｅｒｉｎｇ  Ｐｏｉｎｔ）によって対処されており、該公衆安全応答地点（ＰＳＡＰ）は、緊急事態に対する適切な応答を調整する。一部の場合において、ＰＳＡＰ以外の機関またはシステム、例えば、民間の緊急応答サービスが緊急通話を受信し得る。緊急通話を受信するあらゆる実体が、本明細書においてＰＳＡＰと呼ばれる。
【０００７】
搭載の緊急通話システムを装備された車両が、緊急通話をするときには、緊急事態に関連する最小の組のデータ（ＭＳＤ）が、ＰＳＡＰに自動的に伝送され得る。例えば、車両は、センサを装備され得、該センサは、車両のどの部分が衝突によって衝撃を受けたかということと、車両内のどのエアバッグが展開されているかということとを検知し得る。車両が衝突に巻き込まれた場合には、ＭＳＤは、ＰＳＡＰに自動的に伝送され得、そして、車両識別番号、どのエアバッグが展開されたか、車両のどの部分が衝撃を受けたか、例えば、搭載の全地球測位システム（ＧＰＳ）デバイスによって決定されるように、車両が現在どこにあるか、および他の情報などのデータを含み得る。ＰＳＡＰは、緊急事態に対するより速い応答またはより適切な応答を提供するためにＭＳＤを使用することが可能であり得る。
【０００８】
一実施形態において、個人の緊急データの組（ＰＥＤ）として呼ばれ得る一組のデータが作成され得る。スタンドアロンのワイヤレスデバイス、または車両に設置されたワイヤレスデバイスは、ＭＳＤの代わりに、またはＭＳＤに加えてのいずれかで、ＰＥＤをＰＳＡＰに伝送させる。ＭＳＤは、一般的には、車両および車両の現在の状況だけに関連するデータを含むが、ＰＥＤは、ワイヤレスデバイスのユーザまたはワイヤレスデバイスのユーザにとって既知の人に関連する１つ以上の個人化されたデータを含み得る。ＰＥＤに含まれるデータは、限定するものではないが、例えば、処方箋、投薬量、アレルギー、血液型、性別、身長、体重、年齢、またはユーザが利用可能にすることを望み得る他の個人データを含み得る。ＰＥＤは、先在する状態などの病歴情報、または特定の医学的状態を処置するための指示などの医療従事者に関連する他の情報も含み得る。提供され得る他の情報は、臓器提供情報、一定の医学的サービスまたは一定の医学的手順の要求または拒絶などを含む。
【０００９】
ＭＳＤ内のデータは、一般的には、緊急事態または他の事故が生じたときに生成される。例えば、車両の衝突に関連するデータが、衝突時に生成される。一方、ＰＥＤ内のデータは、緊急事態に先立ち特定され、後に使用するために格納され得る。次に、ＰＥＤは、緊急事態が生じたときに、ＰＳＡＰに送信されるために利用可能になり得る。
【００１０】
一実施形態において、ワイヤレスデバイスのユーザが、ＰＳＡＰの電話番号をダイヤルしたときに、ワイヤレスデバイスは、ＰＥＤをＰＳＡＰに送信し得るか、またはユーザは１つ以上のＰＥＤをＰＳＡＰに送信するオプションを与えられ得る。例えば、米国内のユーザがワイヤレスデバイスで９１１をダイヤルしたときには、そのユーザに対するＰＥＤが、ユーザによるさらなる行動を全く伴うことなく、ＰＳＡＰに自動的に送信され得る。あるいは、ユーザが９１１をダイヤルしたときに、インタフェースがワイヤレスデバイス上に出現し、ユーザがユーザのＰＥＤを送信することを望むかを尋ね、ユーザが肯定の応答を提供すると、ＰＥＤはＰＳＡＰに送信され得る。別の代替案において、複数のＰＥＤが、ユーザがＰＳＡＰに送信するために利用可能になり得る。例えば、ユーザは、ユーザ自身、ユーザの妻、およびユーザの子供のそれぞれに対して、別々のＰＥＤを作成し得る。例えば、子供のうちの１人を巻き込んで、緊急事態が生じた場合には、ユーザは、その子供のＰＥＤをＰＳＡＰに送信することを望み得る。かかる状況に対処するために、ユーザがワイヤレスデバイスで９１１をダイヤルしたときには、ワイヤレスデバイスは、ユーザが前もって作成した人物のＰＥＤの名前または識別子を列挙しているインタフェースを表示し得る。次に、ユーザは、ユーザがＰＳＡＰに伝送することを望む人物のＰＥＤまたは複数の人物のＰＥＤを選択するためにインタフェースを使用し得、次に、適切なＰＥＤまたは適切な複数のＰＥＤがＰＳＡＰに送信され得る。
【００１１】
ユーザがＰＳＡＰの番号をダイヤルすることによって開始されるＰＥＤの伝送以外の別の代替案において、ワイヤレスデバイスは、ＰＥＤを送信するために作動され得る専用のボタンまたは他の入力メカニズムを装備され得る。例えば、ハンドセットは、押され得るボタンを有し得るか、または緊急事態が生じたときに選択され得るメニューアイテムまたはアイコンを有し得る。かかる入力メカニズムを作動させることが、ハンドセットのユーザのＰＥＤをＰＳＡＰに自動的に送信し得る。あるいは、入力メカニズムを作動させることが、インタフェースをハンドセット上に出現させ得、該インタフェースは、ユーザが、ユーザのＰＥＤおよび／または１人以上の他の人物に関するＰＥＤをＰＳＡＰに伝送すること選択することを可能にする。
【００１２】
ワイヤレスデバイスが車両内に設置された場合において、入力メカニズムは、車両内のコントロールパネルまたは他の場所におけるボタンまたは他のコンポーネントであり得る。入力メカニズムを作動させることが、ＰＥＤをＰＳＡＰに自動的に送信し得るか、またはＰＳＡＰに送信する１つ以上のＰＥＤを選択する機会をユーザに与え得る。ワイヤレスデバイスが車両内に設置された場合の代替案において、車両が、衝突または特定の閾値を上回る激しさを有する他の緊急事態に巻き込まれたということを、車両内のセンサが検知したときには、車両の通常の運転手のＰＥＤまたは別の事前に特定された人物のＰＥＤが、ＰＳＡＰに自動的に送信され得る。ＰＥＤが車両内のワイヤレスデバイスによって伝送されたときには、ＰＥＤは、ＭＳＤと同じメッセージ内で送信され得るか、ＭＳＤから別々のメッセージで送信され得るか、またはＭＳＤの代わりに送信され得る。
【００１３】
ＭＳＤをＰＳＡＰに伝送するために、いくつかの伝達メカニズムが、現在、存在する。例えば、セルラーテキスト電話モデム（ＣＴＭ）システムは、音声通話で緊急データを伝送するために一連のトーンを使用する。他の音声ベースの伝送メカニズムが、当業者によく知られている。一実施形態において、ＰＥＤは、ＣＴＭなどの公知の音声ベースの伝達メカニズムのうちの１つを使用して伝送される。既存の伝達メカニズムがＰＥＤを送信するために使用されるときには、改変は、ＰＥＤを受信し適切に解釈するためには、ＰＳＡＰの一部分においてほとんど必要とされないか、または全く必要とされないことがあり得る。しかしながら、ワイヤレスデバイスによるＰＥＤの伝送は、既存のＰＳＡＰ技術と互換性のある技術の使用に限定され得、例えば、音声帯域モデムの使用に限定され得る。かかるワイヤレスデバイスが、ＰＥＤを伝送するためにＣＴＭまたは同様な伝達メカニズムを介してＭＳＤを伝送することが既に可能である車両内のワイヤレスデバイスに対して、改変は必要とされないことがあり得る。一方、ハンドセットなどのスタンドアロンのワイヤレスデバイスは、ＣＴＭまたは同様な伝達メカニズムを介してＰＥＤを伝送することが可能であるように改変される必要があり得る。
【００１４】
代替の実施形態において、ＣＴＭなどの音声ベースの伝達メカニズム以外の伝達メカニズムが、ＰＥＤを伝達するために、ワイヤレスデバイスによって使用され得る。例えば、ＰＥＤは、ボイスオーバインターネットプロトコル（ＶｏＩＰ）通話で伝送されたり、またはＷｉＦｉ、ＷｉＭａｘ、または一部の他のデジタルデータ伝送システムを介したデータ伝送で伝送されたりし得る。かかる技術による伝送は、ＰＥＤのより速い伝送を可能にしたり、ＣＴＭなどの音声ベースのシステムと比較して、ＰＥＤが、より多くの情報を含むことを可能にしたりし得る。しかしながら、かかる技術の使用は、ＰＳＡＰがＰＥＤを受信し適切に解釈するように、ＰＳＡＰにおける改変を必然的に伴い得る。
【００１５】
一実施形態において、上に記述されたシナリオのうちの１つで、１つ以上のＰＥＤが、ワイヤレスデバイスの中のメモリの位置に格納され得、メモリの位置から検索され得、ワイヤレスデバイスからＰＳＡＰに送信され得る。代替の実施形態において、１つ以上のＰＥＤが、遠隔通信ネットワークを介してワイヤレスデバイスにアクセス可能であるコンピュータまたは同様なデバイスに格納され得る。例えば、遠隔通信サービスプロバイダまたは緊急サービスプロバイダによって維持されているサーバコンピュータは、プロバイダの顧客によって生成されたＰＥＤを保持し得る。顧客がＰＥＤをＰＳＡＰに送信することを望むとき、またはＰＥＤがＰＳＡＰに自動的に送信されるときには、顧客のワイヤレスデバイスが、送信されるＰＥＤを示すメッセージをサーバコンピュータに送信し得る。次に、サーバコンピュータは、特定のＰＥＤをＰＳＡＰに送信し得る。あるいは、サーバコンピュータは、適切なＰＥＤをワイヤレスデバイスに返信し得、ワイヤレスデバイスは、ＰＥＤをＰＳＡＰに送信し得る。
【００１６】
本発明はさらに以下の手段を提供する。
【００１７】
（項目１）  
個人の緊急データを公衆安全応答地点（ＰＳＡＰ）に提供する方法であって、
緊急事態が生じる前に、１つの個人データを格納することと、
該緊急事態が生じた後に、該１つの個人データを検索することと、
該１つの個人データを該ＰＳＡＰに伝送することと
を包含する、方法。
【００１８】
（項目２）  
上記１つの個人データは、
先在する医学的状態と、
医療従事者から要求された行動と、
処方箋と、
投薬量と、
アレルギーと、
血液型と、
性別と、
身長と、
体重と、
年齢と
のうちの少なくとも１つである、項目１に記載の方法。
【００１９】
（項目３）  
上記ＰＳＡＰの電話番号がダイヤルされたときに、自動的に上記１つの個人データを該ＰＳＡＰに伝送すること、または
上記ワイヤレスデバイスにおいて入力メカニズムを作動させることであって、該入力メカニズムの該作動が、該１つの個人データを該ＰＳＡＰに伝送させる、こと
のいずれかのうちの１つによって、該個人データを該ＰＳＡＰに通信すること
をさらに包含する、項目１に記載の方法。
【００２０】
（項目４）  
複数個の個人データを複数の人物と関連付けることと、
該人物のうちの少なくとも１人を選択する機会を提供することであって、該人物のうちの少なくとも１人と関連付けられる１つの個人データが、上記ＰＳＡＰに伝送される、ことと
をさらに包含する、項目１に記載の方法。
【００２１】
（項目５）  
上記１つの個人データを人物と関連付けることと、
該人物を車両に設置されたワイヤレスデバイスと関連付けることと、
該車両が特定の閾値を上回る激しさの緊急事態に巻き込まれたときに、該１つの個人データを上記ＰＳＡＰに自動的に伝送することと
をさらに包含する、項目１に記載の方法。
【００２２】
（項目６）  
複数個の個人データを複数の人物と関連付けることと、
該複数の人物を車両に設置されたワイヤレスデバイスと関連付けることと、
該車両が特定の閾値を上回る激しさの緊急事態に巻き込まれたときに、該人物のうちの少なくとも１人の該１つの個人データを上記ＰＳＡＰに自動的に伝送することと
をさらに包含する、項目１に記載の方法。
【００２３】
（項目７）  
上記人物のうちの上記１人を特定することをさらに包含し、上記緊急事態の場合には、該人物のうちの少なくとも１人の１つの個人データが、該人物を上記車両のカスタマイズ可能な特徴と関連付けることによって上記ＰＳＡＰに伝送される、項目６に記載の方法。
【００２４】
（項目８）  
最小の組のデータの伝送と関連付けられるデータ伝送において、上記１つの個人データを上記ＰＳＡＰに伝送することをさらに包含し、上記車両が上記緊急事態に巻き込まれたときに、上記ワイヤレスデバイスは、該最小の組のデータを該ＰＳＡＰに自動的に伝送する、項目５に記載の方法。
【００２５】
（項目９）  
上記１つの個人データをネットワークのコンポーネントに格納することと、
該１つの個人データを上記ＰＳＡＰに伝送するように該ネットワークの該コンポーネントを命令するためにワイヤレスデバイスを使用することと
をさらに包含する、項目１に記載の方法。
【００２６】
（項目１０）  
ワイヤレスデバイスであって、
緊急事態の場合における使用のために個人データを格納するメモリコンポーネントと、
該個人データのうちの少なくとも一部を、緊急事態の発生と関連付けられる公衆安全応答地点（ＰＳＡＰ）に伝送するように構成された伝送コンポーネントと
を備えている、ワイヤレスデバイス。
【００２７】
（項目１１）  
１つの個人データは、
先在する医学的状態と、
医療従事者から要求された行動と、
処方箋と、
投薬量と、
アレルギーと、
血液型と、
性別と、
身長と、
体重と、
年齢と
のうちの少なくとも１つである、項目１０に記載のワイヤレスデバイス。
【００２８】
（項目１２）  
インタフェースをさらに備え、該インタフェースは、複数個の個人データが複数の人物と関連付けられるときには、該人物のうちの少なくとも１人を選択する機会を提供し、該人物のうちの少なくとも１人と関連付けられる１つの個人データは、上記ＰＳＡＰに伝送される、項目１０に記載のワイヤレスデバイス。
【００２９】
（項目１３）  
上記ワイヤレスデバイスは、車両に設置され、該車両が特定の閾値を上回る激しさを有する緊急事態に巻き込まれたときには、該ワイヤレスデバイスは、１つの個人データを上記ＰＳＡＰに自動的に伝送する、項目１０に記載のワイヤレスデバイス。
【００３０】
（項目１４）  
上記ワイヤレスデバイスは車両に設置され、複数個の個人データが複数の人物と関連付けられ、該複数の人物が該ワイヤレスデバイスと関連付けられ、そして、該車両が特定の閾値を上回る激しさを有する緊急事態に巻き込まれたときには、該ワイヤレスデバイスは、該人物のうちの少なくとも１人の該１つの個人データを上記ＰＳＡＰに自動的に伝送する、項目１０に記載のワイヤレスデバイス。
【００３１】
（項目１５）  
上記緊急事態の場合に１つの個人データが上記ＰＳＡＰに伝送される、上記人物のうちの上記１人が、該人物を上記車両のカスタマイズ可能な特徴と関連付けることによって特定される、項目１４に記載のワイヤレスデバイス。
【００３２】
（項目１６）  
上記１つの個人データが、最小の組のデータの伝送と関連付けられるデータ伝送において、上記ＰＳＡＰに伝送され、上記車両が上記緊急事態に巻き込まれたときに、上記ワイヤレスデバイスは、最小の組の該データを該ＰＳＡＰに自動的に伝送する、項目１３に記載のワイヤレスデバイス。
【００３３】
（項目１７）  
システムであって、
緊急事態の場合における使用のために個人データを格納するメモリコンポーネントと、
該個人データのうちの少なくとも一部を、緊急事態の発生と関連付けられる公衆安全応答地点（ＰＳＡＰ）に伝送するように構成された伝送コンポーネントと
を備えている、システム。
【００３４】
（項目１８）  
上記メモリコンポーネントは、ネットワークのコンポーネントであり、上記伝送コンポーネントは、車両に設置される、項目１７に記載のシステム。
【００３５】
（項目１９）  
上記メモリコンポーネントは、ハンドヘルドモバイルデバイスと車両とのうちの１つの中のコンポーネントであり、上記伝送コンポーネントは、該車両に設置されている、項目１７に記載のシステム。
【００３６】
（項目２０）  
車両に設置されたワイヤレスデバイスは、該車両が特定の閾値を上回る激しさを有する緊急事態に巻き込まれたときに、該車両に設置された該ワイヤレスデバイスを直接的に介して、またはハンドヘルドモバイルデバイスを介して上記ＰＳＡＰへの個人データの少なくとも一部の伝送を促進する、項目１７に記載のシステム。
【００３７】
（摘要）
個人の緊急データを公衆安全応答地点（ＰＳＡＰ）に提供する方法。方法は、緊急事態が生じる前に、１つの個人データを格納することと、緊急事態の生じた後に、１つの個人データを検索することと、１つの個人データをＰＳＡＰに伝送することとを含む。
【発明を実施するための最良の形態】
【００３８】
本開示のより完全な理解のために、ここで、添付の図面と詳細な記述と関連して列挙される、以下の簡潔な記述に参照が行われる。図面および詳細な記述においては、同様な参照番号は同様な部分を表す。
【００３９】
図１は、ＰＥＤ１２０をＰＳＡＰ１３０に送信させることが可能であるワイヤレスデバイス１１０を含むシステム１００の実施形態のブロック図である。ワイヤレスデバイス１１０は、スタンドアロンのデバイスであり、例えば、モバイル電話、携帯端末、ハンドヘルドコンピュータ、または同様なデバイスであり得る。あるいは、ワイヤレスデバイス１１０と同様な遠隔通信デバイスが、車両１５０内に設置され得る。一実施形態において、ＰＥＤ１２０は、ワイヤレスデバイス１１０に格納される。緊急事態が生じたときには、ワイヤレスデバイス１１０がＰＥＤ１２０をＰＳＡＰ１３０に送信し得る。例えば、ワイヤレスデバイス１１０のユーザが９１１をダイヤルしたときに、ユーザのＰＥＤ１２０が、ワイヤレスデバイス１１０からＰＳＡＰ１３０に自動的に送信され得る。あるいは、ユーザが９１１をダイヤルしたときに、インタフェースがワイヤレスデバイス１１０上に出現し、該ワイヤレスデバイス１１０は、ユーザがユーザのＰＥＤ１２０および／または１人以上の他の人物のＰＥＤ１２０をワイヤレスデバイス１１０からＰＳＡＰ１３０に送信することを可能する。
【００４０】
あるいは、ワイヤレスデバイス１１０は、入力メカニズム１１５を含み得、該入力デバイス１１５は、作動の際、ユーザのＰＥＤ１２０をＰＳＡＰ１３０に送信させる。別の代替案において、入力メカニズム１１５を作動させることが、インタフェースをワイヤレスデバイス１１０上に出現させ得、該ワイヤレスデバイス１１０は、ユーザがユーザのＰＥＤ１２０および／または１人以上の他の人物のＰＥＤ１２０をワイヤレスデバイス１１０からＰＳＡＰ１３０に送信することを可能にする。一実施形態において、入力メカニズム１１５を作動させることが、ワイヤレスデバイス１１０に自動的に９１１またはＰＳＡＰ１３０に対する別の番号をダイヤルさせ得、それによりユーザがＰＳＡＰ１３０との音声接続を確立し得る。
【００４１】
ワイヤレスデバイス１１０が車両１５０に設置された場合において、車両１５０が、衝突または特定の閾値を上回る激しさを有する他の緊急事態に巻き込まれたときに、１つ以上のＰＥＤ１２０が、ワイヤレスデバイス１１０からＰＳＡＰ１３０に自動的に送信され得る。一実施形態において、車両１５０の正常な運転手のＰＥＤ１２０が伝送される。別の実施形態において、車両の所有者または運転者は、緊急の場合に伝送される１つ以上のＰＥＤ１２０を特定し得る。さらに別の実施形態において、伝送されるＰＥＤ１２０は、車両１５０のカスタマイズ可能な特徴に基づき得る。例えば、一部の車両１５０は、シートの位置、ハンドルの位置、およびミラーの位置などの特徴と共に装備されており、この特徴は、様々な運転手の好みに自動的に調節され得る。異なるＰＥＤ１２０が、かかるカスタマイズ可能な特徴の異なる組と関連付けられ得、それにより好みが現在有効である運転手のＰＥＤ１２０が、衝突または特定の閾値を上回る激しさを有する他の緊急事態の場合に伝送される。
【００４２】
ワイヤレスデバイス１１０が車両１５０に設置されている別の場合において、ＭＳＤおよび／または１つ以上のＰＥＤ１２０の少なくとも一部が、車両１５０内のメモリコンポーネント１５２内に格納され得る。緊急の場合に、メモリコンポーネント１５２内のデータの少なくとも一部分が、車両１５０内の伝送コンポーネント１５４からスタンドアロンのワイヤレスデバイス１１０に伝送され得る。車両のプロセッサ１５６は、伝送コンポーネント１５４を介したデータの伝送を促進するように、メモリコンポーネント１５２と通信するように構成され得る。伝送コンポーネント１５４からスタンドアロンのワイヤレスデバイス１１０までの伝送は、Ｂｌｕｅｔｏｏｔｈ伝送を介して行われ得るか、または他の一部の短距離通信リンクを介して行われ得る。次に、スタンドアロンのワイヤレスデバイス１１０は、車両１５０から受信されたデータを、スタンドアロンのワイヤレスデバイス１１０の内部に格納された１つ以上のＰＥＤ１２０の少なくとも一部分と組み合わせ得、次に、組み合わされたデータをＰＳＡＰ１３０に伝送し得る。あるいは、ＰＥＤはスタンドアロンのワイヤレスデバイス１１０に格納されないことがあり得、また、車両１５０から受信されたデータだけがＰＳＡＰ１３０に伝送され得る。
【００４３】
たった今記述されたシナリオに対する代替案において、ＰＥＤ１２０は、ワイヤレスデバイス１１０、または車両１５０内のメモリコンポーネント１５２に格納されていないが、その代わりに、ワイヤレスデバイス１１０にワイヤレスでアクセス可能であるネットワーク１４０のコンポーネントに格納されている。これらの代替の実施形態の一部において、ＰＥＤ１２０がＰＳＡＰ１３０に送信されるときに、ワイヤレスデバイス１１０または車両１５０は、メッセージをネットワーク１４０に送信し、１つのＰＥＤ１２０または複数のＰＥＤ１２０のどちらが送信されるかを指示する。次に、ネットワーク１４０は、適切な１つのＰＥＤ１２０または適切な複数のＰＥＤ１２０を検索し、１つのＰＥＤ１２０または複数のＰＥＤ１２０をＰＳＡＰ１３０に伝送する。あるいは、ネットワーク１４０は、１つのＰＥＤ１２０または複数のＰＥＤ１２０をワイヤレスデバイス１１０または車両１５０に返信し得、ワイヤレスデバイス１１０、または車両１５０における伝送コンポーネント１５４は、１つのＰＥＤ１２０または複数のＰＥＤ１２０をＰＳＡＰ１３０に伝送し得る。
【００４４】
この方法での、ネットワーク１４０におけるＰＥＤ１２０の格納は、ユーザが複数のＰＥＤ１２０を複数のワイヤレスデバイス１１０に対して生成する必要性を排除し得る。例えば、ユーザは、ハンドセットから、または遠隔通信デバイスを装備された車両からのいずれかからユーザのＰＥＤ１２０を伝送することができることを望み得る。ＰＥＤ１２０がワイヤレスデバイス１１０のそれぞれにおいて内部に格納される場合には、ユーザはこれらのワイヤレスデバイス１１０のそれぞれに対して別々にＰＥＤ１２０を生成する必要があり得る。一方、ネットワークの格納能力が、ユーザが一度だけＰＥＤ１２０を生成することを可能にし、かつ、ハンドセットまたは車両のいずれかによる将来のアクセスのために、ネットワーク１４０においてＰＥＤ１２０を格納することを可能にし得る。
【００４５】
図２は、個人の緊急データをＰＳＡＰに提供する方法２００の実施形態を例示する。ブロック２１０において、緊急事態が生じる前に、１つの個人の緊急データが格納される。データは、人物の処方箋、投薬量、アレルギー、血液型、性別、身長、体重、または年齢であり得るか、または人物がＰＳＡＰに利用可能にすることを望み得る他の個人データであり得る。ＰＥＤはまた、医療従事者から要求された先在する医学的状態または医学的機能に関する情報も含み得る。データは、ワイヤレスデバイス、またはワイヤレスデバイスにアクセス可能なネットワークのコンポーネントに格納され得る。ブロック２２０において、緊急事態が生じたときに、１つの個人の緊急データが、ワイヤレスデバイスまたはネットワークから検索される。ブロック２３０において、１つの個人の緊急データがＰＳＡＰに伝送される。
【００４６】
図３は、ワイヤレスデバイス１１０の一実施形態を含むワイヤレス通信システムを例示する。ワイヤレスデバイス１１０は、本開示の局面を実装するように動作可能であるが、本開示は、これらの実装に限定されるべきではない。モバイル電話として例示されているが、ワイヤレスデバイス１１０は、ワイヤレスハンドセット、ポケットベル、携帯端末（ＰＤＡ）、ポータブルコンピュータ、タブレットコンピュータ、またはラップトップコンピュータを含む様々な形式を取り得る。多くの適切なデバイスは、これらの機能の一部または全てを組み合わせる。本開示の一部の実施形態において、ワイヤレスデバイス１１０は、ポータブルコンピュータ、ラップトップコンピュータ、またはタブレットコンピュータなどの汎用目的の計算デバイスではなく、むしろモバイル電話、ワイヤレスハンドセット、ポケットベル、ＰＤＡ、または車両に設置された遠隔通信デバイスなどの、専用目的の通信デバイスであり得る。別の実施形態において、ワイヤレスデバイス１１０は、ポータブル計算デバイス、ラップトップ計算デバイス、または他の計算デバイスであり得る。ワイヤレスデバイス１１０は、ゲーミング機能、在庫管理機能、ジョブ制御機能、および／またはタスク管理機能などの専門の活動をサポートし得る。
【００４７】
ワイヤレスデバイス１１０は、ディスプレイ４０２を含む。ワイヤレスデバイス１１０はまた、概略的に４０４で示された、ユーザによる入力のためのタッチセンシティブ面、キーボードまたは他の入力キーを含み得る。キーボードは、完全な英数字のキーボードまたは縮約された英数字キーボード、例えば、ＱＷＥＲＴＹタイプ、Ｄｖｏｒａｋタイプ、ＡＺＥＲＴＹタイプ、および順次タイプであり得るか、または電話のキーパッドと関連付けられたアルファベット文字を有する従来の数字のキーパッドであり得る。入力キーは、トラックホイル、エグジットキーまたはエスケープキー、トラックボール、および他のナビゲーションキーまたはファンクションキーを含み得、これらは、さらなる入力機能を提供するために内側に押し下げられ得る。ワイヤレスデバイス１１０は、ユーザが選択するオプション、ユーザが作動する制御、および／またはユーザが命令するカーソルまたは他のインジケータを提示し得る。図１の入力メカニズム１１５は、キーボードまたは他の入力キー４０４に含まれ得る。
【００４８】
ワイヤレスデバイス１１０は、ユーザからのデータ入力をさらに受け入れ得るものであり、該データ入力は、ダイヤルする番号、またはワイヤレスデバイス１１０の動作を構成するための様々なパラメータの値を含む。ワイヤレスデバイス１１０は、さらに、ユーザのコマンドに応答して、１つ以上のソフトウェアまたはファームウェアのアプリケーションを実行し得る。これらのアプリケーションは、ユーザの相互作用に応答して、様々なカスタマイズされた機能を行うように、ワイヤレスデバイス１１０を構成し得る。さらに、ワイヤレスデバイス１１０は、無線で（ｏｖｅｒ−ｔｈｅ−ａｉｒ）プログラミングおよび／または構成され、例えば、ワイヤレス基地局、ワイヤレスアクセスポイント、またはピアーワイヤレスデバイス１１０からプログラミングおよび／または構成され得る。
【００４９】
ワイヤレスデバイス１１０によって実行可能である様々なアプリケーションの中に、ディスプレイ４０２がウェブページを示すことを可能にするウェブブラウザがある。ウェブページは、ワイヤレスネットワークのアクセスノード、セルタワー、ピアーワイヤレスデバイス１１０、またはその他任意のワイヤレス通信ネットワークもしくはワイヤレス通信システム４００とのワイヤレス通信を介して獲得され得る。ネットワーク４００は、図１のネットワーク１４０と同様であり得る。ネットワーク４００は、インターネットなどの有線のネットワーク４０８に結合される。ワイヤレスリンクと有線のネットワークとを介して、ワイヤレスデバイス１１０は、サーバ４１０などの様々なサーバにおける情報へアクセスする。サーバ４１０は、ディスプレイ４０２に示され得る内容を提供し得る。あるいは、ワイヤレスデバイス１１０は、中継タイプの接続またはホップタイプの接続において、中間段階として作用するピアーワイヤレスデバイス１１０を通ってネットワーク４００にアクセスし得る。
【００５０】
図４は、ワイヤレスデバイス１１０のブロック図を示す。ワイヤレスデバイス１１０の様々な公知のコンポーネントが描かれているが、一実施形態において、列挙されたコンポーネントおよび／または列挙されていない追加のコンポーネントのサブセットが、ワイヤレスデバイス１１０に含まれ得る。ワイヤレスデバイス１１０は、デジタル信号プロセッサ（ＤＳＰ）５０２とメモリ５０４とを含む。示されているように、ワイヤレスデバイス１１０は、さらに、アンテナおよびフロントエンドユニット５０６と、無線周波数（ＲＦ）トランシーバ５０８と、アナログベースバンド処理ユニット５１０と、マイクロフォン５１２と、イヤホンのスピーカ５１４と、ヘッドセットポート５１６と、入力／出力インタフェース５１８と、リムーバブルメモリカード５２０と、ユニバーサルシリアルバス（ＵＳＢ）ポート５２２と、短距離ワイヤレス通信サブシステム５２４と、アラート５２６と、キーパッド５２８と、タッチセンシティブ面を含み得る液晶ディスプレイ（ＬＣＤ）５３０と、ＬＣＤコントローラ５３２と、電荷結合素子（ＣＣＤ）カメラ５３４と、カメラコントローラ５３６と、全地球測位システム（ＧＰＳ）センサ５３８とを含む。一実施形態において、ワイヤレスデバイス１１０は、タッチセンシティブスクリーンを提供しない別の種類のディスプレイを含み得る。一実施形態において、ＤＳＰ５０２は、入力／出力インタフェース５１８を通過することなく、メモリ５０４と直接的に通信し得る。
【００５１】
ＤＳＰ５０２、またはコントローラもしくは中央処理装置の一部の他の形式が、メモリ５０４に格納されたか、またはＤＳＰ５０２自体の中に含まれたメモリに格納された内蔵のソフトウェアまたはファームウェアに従って、ワイヤレスデバイス１１０の様々なコンポーネントを制御するように動作する。内蔵のソフトウェアまたはファームウェアに加えて、ＤＳＰ５０２は、メモリ５０４に格納された他のアプリケーションを実行し得るか、またはリムーバブルメモリカード５２０のようなポータブルデータストレージなどの情報キャリア媒体を介して、もしくは有線ネットワーク通信またはワイヤレスネットワーク通信を介して利用可能にされた他のアプリケーションを実行し得る。アプリケーションソフトウェアは、所望の機能性を提供するようにＤＳＰ５０２を構成する、コンパイルされた一組の機械読み取り可能な命令を含み得るか、またはアプリケーションソフトウェアは、ＤＳＰ５０２を間接的に構成するために、インタプリタまたはコンパイラによって処理される高レベルのソフトウェアの命令であり得る。
【００５２】
アンテナおよびフロントエンドユニット５０６は、ワイヤレス信号と電気信号との間で変換を行うために提供され、ワイヤレスデバイス１１０が、セルラネットワークまたは一部の他の利用可能なワイヤレス通信ネットワークから、またはピアーワイヤレスデバイス１１０から情報を送受信することを可能にし得る。一実施形態において、アンテナおよびフロントエンドユニット５０６は、複数のアンテナを含むことにより、ビームフォーミングおよび／または複数入力複数出力（ＭＩＭＯ）動作をサポートし得る。当業者には公知であるように、ＭＩＭＯ動作は、空間ダイバーシティを提供し得、該空間ダイバーシティは、困難なチャンネル条件を克服するために、および／またはチャンネルのスループットを増加させるために使用され得る。アンテナおよびフロントエンドユニット５０６は、アンテナ同調および／またはインピーダンス適合コンポーネント、ＲＦ電力増幅器、および／または低ノイズ増幅器を含み得る。
【００５３】
ＲＦトランシーバ５０８は、周波数シフトと、受信したＲＦ信号をベースバンドに変換することと、ベースバンド伝送信号をＲＦに変換することとを提供する。一部の記述において、無線トランシーバまたはＲＦトランシーバは、他の信号処理機能を含むことが理解され得、例えば、変調／復調、符号化／復号化、インターリービング／デインターリービング、拡散／逆拡散、高速逆フーリエ変換（ＩＦＦＴ）／高速フーリエ変換（ＦＦＴ）、サイクリックプレフィックスの付加／除去、および他の信号処理機能などを含むことが理解され得る。明確にする目的のために、ここでの記述は、信号処理の記述をＲＦおよび／または無線の段階から離れ、アナログベースバンド処理ユニット５１０および／またはＤＳＰ５０２、または他の中央処理装置に、その信号処理を概念的に割り当てる。一部の実施形態において、ＲＦトランシーバ５０８と、アンテナおよびフロントエンド５０６の一部分と、アナログベースバンド処理ユニット５１０とは、１つ以上の処理装置および／または特定用途向け集積回路（ＡＳＩＣ）において組み合わされ得る。
【００５４】
アナログベースバンド処理ユニット５１０は、入力および出力の様々なアナログ処理を提供し、例えば、マイクロフォン５１２およびヘッドセット５１６からの入力のアナログ処理と、イヤホン５１４およびヘッドセット５１６への出力のアナログ処理とを提供し得る。このために、アナログベースバンド処理ユニット５１０は、ビルトインマイクロフォン５１２およびイヤホンのスピーカ５１４に接続するポートを有し得、該ポートは、ワイヤレスデバイス１１０がセル方式の電話として使用されることを可能にする。アナログベースバンド処理ユニット５１０は、さらに、ヘッドセット、または他のハンズフリーのマイクロフォンとスピーカとの構成に接続するポートを含み得る。アナログベースバンド処理ユニット５１０は、一方の信号方向においてデジタルアナログ変換を提供し、逆方向の信号方向においてアナログデジタル変換を提供し得る。一部の実施形態において、アナログベースバンド処理ユニット５１０の機能性のうちの少なくとも一部は、デジタル処理コンポーネントによって提供され、例えば、ＤＳＰ５０２または他の中央処理装置によって提供され得る。
【００５５】
ＤＳＰ５０２は、変調／復調、符号化／復号化、インターリービング／デインターリービング、拡散／逆拡散、高速逆フーリエ変換（ＩＦＦＴ）／高速フーリエ変換（ＦＦＴ）、サイクリックプレフィックスの付加／除去、およびワイヤレス通信と関連付けられる他の信号処理機能を行い得る。一実施形態において、例えば、符号分割多元接続（ＣＤＭＡ）技術の適用において、トランスミッタ機能に対しては、ＤＳＰ５０２は、変調、符号化、インターリービング、および拡散を行い得、レシーバ機能に対しては、ＤＳＰ５０２は、逆拡散、デインターリービング、復号化、および復調を行い得る。別の実施形態において、例えば、直交周波数分割多重接続（ＯＦＤＭＡ）技術の適用において、トランスミッタ機能に対しては、ＤＳＰ５０２は、変調、符号化、インターリービング、高速逆フーリエ変換、およびサイクリックプレフィックスの付加を行い得、レシーバ機能に対しては、ＤＳＰ５０２は、頭語の周期的な除去、高速フーリエ変換、デインターリービング、復号化、および復調を行い得る。他のワイヤレス技術の適用において、さらに別の信号処理機能と、信号処理機能の組み合わせとが、ＤＳＰ５０２によって行われ得る。
【００５６】
ＤＳＰ５０２は、アナログベースバンド処理ユニット５１０を介してワイヤレスネットワークと通信し得る。一部の実施形態において、通信は、インターネット接続を提供し、ユーザがインターネット上のコンテンツへのアクセスを獲得することと、電子メールまたはテキストメッセージを送受信することとを可能にし得る。入力／出力インタフェース５１８は、ＤＳＰ５０２と様々なメモリおよび様々なインタフェースとを相互接続する。メモリ５０４とリムーバブルメモリカード５２０とは、ＤＳＰ５０２の動作を構成するように、ソフトウェアおよびデータを提供し得る。インタフェースの間にあるものは、ＵＳＢインタフェース５２２および短距離ワイヤレス通信サブシステム５２４であり得る。ＵＳＢインタフェース５２２は、ワイヤレスデバイス１１０を充電するために使用され得、ワイヤレスデバイス１１０が、パーソナルコンピュータまたは他のコンピュータシステムと情報を交換する周辺機器として機能することも可能にし得る。短距離ワイヤレス通信サブシステム５２４は、赤外線ポート、Ｂｌｕｅｔｏｏｔｈインタフェース、ＩＥＥＥＥ  ８０２．１１適合のワイヤレスインターフェース、またはその他任意の短距離ワイヤレス通信サブシステムを含み得、これらは、ワイヤレスデバイス１１０が、他の近隣のモバイルデバイスおよび／またはワイヤレス基地局とワイヤレスで通信することを可能にし得る。
【００５７】
入力／出力インタフェース５１８は、さらに、ＤＳＰ５０２をアラート５２６に接続し得、該アラート５２６は、駆動させられたときに、例えば、呼び出し音を鳴らすこと、メロディを再生すること、または振動することによって、ワイヤレスデバイス１１０に、通知をユーザに提供させる。アラート５２６は、静かに振動することによって、または特定の呼び出し者に対して事前に割り当てられた特定のメロディを再生することによって、かかってくる電話、新たなテキストメッセージ、約束の合図などの様々なイベントのうちの任意のものに対してユーザに警告をするメカニズムとして働き得る。
【００５８】
キーパッド５２８は、インタフェース５１８を介してＤＳＰ５０２に結合することにより、ユーザが、選択を行ったり、情報を入力したり、入力をワイヤレスデバイス１１０に提供したりする１つのメカニズムを提供する。キーボード５２８は、完全な英数字のキーボードまたは縮約された英数字キーボード、例えば、ＱＷＥＲＴＹタイプ、Ｄｖｏｒａｋタイプ、ＡＺＥＲＴＹタイプ、および順次タイプであり得るか、または電話のキーパッドと関連付けられたアルファベット文字を有する従来の数字のキーパッドであり得る。入力キーは、トラックホイル、エグジットキーまたはエスケープキー、トラックボール、および他のナビゲーションキーまたはファンクションキーを含み得、これらは、さらなる入力機能を提供するために内方に押し下げられ得る。別の入力メカニズムは、ＬＣＤ５３０であり得、該ＬＣＤ５３０は、タッチスクリーン能力を含み、テキストおよび／または図形をユーザに表示もし得る。ＬＣＤコントローラ５３２は、ＤＳＰ５０２をＬＣＤ５３０に接続する。
【００５９】
ＣＣＤカメラ５３４は、装備された場合には、ワイヤレスデバイス１１０がデジタル画像を撮影することを可能にする。ＤＳＰ５０２は、カメラコントローラ５３６を介してＣＣＤカメラ５３４と通信する。別の実施形態において、電荷結合素子カメラ以外の技術に従って動作するカメラが利用され得る。ＧＰＳセンサ５３８がＤＳＰ５０２に結合されることにより、全地球測位システムの信号を復号化し、それによりワイヤレスデバイス１１０が、ワイヤレスデバイス１１０の位置を決定することを可能にする。様々な他の周辺機器がまた、例えば、ラジオの受信またはテレビの受信などの追加の機能を提供するために含まれ得る。
【００６０】
図５は、ソフトウェア環境６０２を例示し、該ソフトウェア環境６０２は、ＤＳＰ５０２によって実装され得る。ＤＳＰ５０２は、オペレーティングシステムドライバ６０４を実行し、該オペレーティングシステムドライバ６０４は、ソフトウェアの残りが動作するプラットフォームを提供する。オペレーティングシステムドライバ６０４は、アプリケーションソフトウェアにアクセス可能である標準規格のインタフェースを有するワイヤレスデバイスハードウェアにドライバを提供する。オペレーティングシステムドライバ６０４は、アプリケーション管理サービス（「ＡＭＳ」）６０６を含み、該アプリケーション管理サービス（「ＡＭＳ」）６０６は、ワイヤレスデバイス１１０上で走るアプリケーション間の制御を伝える。また図５に示されているものは、ウェブブラウザアプリケーション６０８と、メディアプレーヤアプリケーション６１０と、Ｊａｖａ（登録商標）アプレット６１２とである。ウェブブラウザアプリケーション６０８は、ウェブブラウザとして動作するようにワイヤレスデバイス１１０を構成し、ユーザが情報をフォームに入力し、リンクを選択することにより、ウェブページを検索し閲覧することを可能にする。メディアプレーヤアプリケーション６１０は、聴覚媒体または視聴覚媒体を検索し再生するように、ワイヤレスデバイス１１０を構成する。Ｊａｖａ（登録商標）アプレット６１２は、ゲーム、ユーティリティ、および他の機能性を提供するように、ワイヤレスデバイス１１０を構成する。コンポーネント６１４は、個人の緊急データの格納および／または伝送に関連する機能性を提供し得る。
【００６１】
いくつかの実施形態が、本開示において提供されてきたが、開示のシステムおよび方法が、本開示の精神または範囲を逸脱することなく、多くの他の特定の形式で体現され得るということが理解される。本例は、例示として考えられるべきであり、限定として考えられるべきではなく、趣旨は、本明細書において与えられた詳細に限定されるべきではない。例えば、様々な要素または様々なコンポーネントが、別のシステムにおいて組み合わされたり、組み込まれたりし得るか、または一定の特徴が、省略されたり、実装されなかったりすることがあり得る。
【００６２】
また、別個または別々として、様々な実施形態において記述および例示された技術、システム、サブシステム、および方法が、本開示の範囲を逸脱することなく、他のシステム、モジュール、技術、または方法と組み合わされたり、組み込まれたりし得る。互いに結合もしくは直接的に結合されたか、または互いに通信しているとして示されたり、考察されたりした他のアイテムが、電気的であろうと、機械的であろうと、一部のインタフェース、デバイス、または中間コンポーネントを通って間接的に結合されたり、通信したりし得る。変更、置換、および代替の他の例は、当業者によって確認可能であり、本明細書において開示された精神および範囲から逸脱することなく行われ得る。
【図面の簡単な説明】
【００６３】
【図１】図１は、本開示の実施形態に従った遠隔通信システムのブロック図である。
【図２】図２は、本開示の実施形態に従った、ＰＳＡＰに個人の緊急データを提供する方法の図である。
【図３】図３は、本開示の様々な実施形態のうちの一部に対して動作可能なワイヤレスデバイスを含むワイヤレス通信システムの図である。
【図４】図４は、本開示の様々な実施形態のうちの一部に対して動作可能なワイヤレスデバイスのブロック図である。
【図５】図５は、本開示の様々な実施形態のうちの一部に対して動作可能なワイヤレスデバイスに実装され得るソフトウェア環境の図である。
【符号の説明】
【００６４】
１００  システム
１１０  ワイヤレスデバイス
１１５  入力メカニズム
１２０  ＰＥＤ
１３０  ＰＳＡＰ
１４０  ネットワーク
１５０  車両
１５２  メモリコンポーネント
１５４  伝送コンポーネント
１５６  プロセッサ
【図１】
2009071828.tif 000003
【図２】
2009071828.tif 000004
【図３】
2009071828.tif 000005
【図４】
2009071828.tif 000006
【図５】
2009071828.tif 000007